(57)【要約】【課題】来訪者がドアホンの照明部からの光を眩しく感じることを抑制し、且つ、居住者がカラー映像にて来訪者の顔をすぐに確認することが可能なインターホンシステムを提供する。【解決手段】住宅外に設置され居住者を呼び出し可能なドアホン１と、住宅内に設置されドアホン１からの呼び出しに応じてドアホン１との間で通話可能とするインターホン親機２とを備える。ドアホン１は、居住者を呼び出すための呼出釦と、所定エリアを撮像してカラー映像を得る撮像部１４と、所定エリアを照明可能な照明部１５とを有する。インターホン親機２は、撮像部１４で撮像して得られたカラー映像を表示する表示部２４を有し、ドアホン１の動作モードとして、照明部１５をポーチ灯として点灯させるポーチ灯モードと、照明部１５を呼出釦の押操作に基づいて点灯させる来客対応モードとを備えて、ポーチ灯モードと来客対応モードとを選択可能である。【選択図】図１
2013026849.tif 000002
【特許請求の範囲】
【請求項１】
住宅外に設置され居住者を呼び出し可能なドアホンと、住宅内に設置され前記ドアホンからの呼び出しに応じて前記ドアホンとの間で通話可能とするインターホン親機とを備え、前記ドアホンは、居住者を呼び出すための呼出釦と、所定エリアを撮像してカラー映像を得る撮像部と、前記所定エリアを照明可能な照明部とを有し、前記インターホン親機は、前記撮像部で撮像して得られたカラー映像を表示する表示部を有してなり、前記ドアホンの動作モードとして、前記照明部をポーチ灯として点灯させるポーチ灯モードと、前記照明部を前記呼出釦の押操作に基づいて点灯させる来客対応モードとを備えて、前記ポーチ灯モードと前記来客対応モードとを選択可能であることを特徴とするインターホンシステム。
【発明の詳細な説明】
【技術分野】
【０００１】
本発明は、インターホンシステムに関するものである。
【背景技術】
【０００２】
従来から、集合住宅の共同玄関などに設置されるカラーカメラ付ロビーインターホンが提案されている（例えば、特許文献１）。
【０００３】
特許文献１に開示されたカラーカメラ付ロビーインターホンは、住戸側に設置されたモニタテレビ付インターホンを接続するとともに、被撮像体（被写体）に対して上方または下方の斜め方向から光を照射する照明装置を接続している。なお、照明装置は、白熱灯や蛍光灯で構成されている。
【０００４】
上述のカラーカメラ付ロビーインターホンは、このカラーカメラ付ロビーインターホンによる所定の操作または住戸側のモニタテレビ付インターホンによる所定の操作によって、照明装置を点灯制御してカラーカメラで撮像を開始する。
【０００５】
また、従来から、戸建て住宅などに使用され、来訪者をカラーの撮影映像により確認できるテレビドアホン装置が提案されている（例えば、特許文献２）。
【０００６】
特許文献２に開示されたテレビドアホン装置は、玄関先に設置された子機と、居室内に設置された親機とから構成されている。なお、子機と親機とは、通信回線を介して電気的に接続されている。また、子機は、呼出ボタン、子機通話部、撮像装置などを有している。
【０００７】
撮像装置は、来訪者を照明する撮影用赤外光源部と、来訪者を照明する撮影用可視光原部と、来訪者を撮像する撮像部と、撮影用赤外光源部および撮影用可視光源部のそれぞれの発光を制御する発光制御部とを備えている。
【０００８】
発光制御部は、撮像部が撮像を開始するときに赤外光を所定の光量で発光開始し、この発光開始後、時間経過と共に可視光の光量を赤外光の光量より緩やかに増加させる。
【０００９】
また、近年、インターホンシステムに関して、ドアホンの撮像部で来訪者などを撮像してカラー映像をインターホン親機の表示部に表示するものが提供されるようになってきた。これに伴い、夜間でもカラー映像にて来訪者の顔を確認したいという要望が高まってきており、ドアホンの照明部として、白色ＬＥＤが用いられるようになってきている。
【先行技術文献】
【特許文献】
【００１０】
【特許文献１】特開２００１−３０９３６２号公報
【特許文献２】特開２０１０−２１２９４１号公報
【発明の概要】
【発明が解決しようとする課題】
【００１１】
ところで、特許文献１に開示されたカラーカメラ付ロビーインターホンでは、このカラーカメラ付ロビーインターホンによる所定の操作（例えば、住戸番号を入力する操作）または住戸側のモニタテレビ付インターホンによる所定の操作により照明装置を点灯制御してカラーカメラで撮像を開始するので、照明装置が誤動作するのを防止できる。また、このカラーカメラ付ロビーインターホンでは、照明装置が被撮像体（来訪者）に対して上方または下方の斜め方向から光を照射するので、来訪者が光を直視するのを防ぐことが可能となる。
【００１２】
しかしながら、特許文献１に開示されたカラーカメラ付ロビーインターホンでは、来訪者がこのカラーカメラ付ロビーインターホンにて所定の操作を行ったときに照明装置が点灯するので、来訪者が照明装置からの光を眩しく感じることがあった。
【００１３】
また、特許文献２に開示されたテレビドアホン装置では、発光制御部が、撮像部が撮像を開始するときに赤外光を発光開始させ、この発光開始後、時間経過と共に可視光の光量を赤外光の光量より緩やかに増加させるので、来訪者の目を可視光に明順応させながら撮像部での撮像に必要な光量を得ることが可能となり、居住者がカラー映像にて来訪者を確認することが可能となる。
【００１４】
しかしながら、特許文献２に開示されたテレビドアホン装置では、発光制御部が来訪者の目を可視光に明順応させながら可視光の光量を増加させるので、撮像部が撮像を開始するときに発光制御部が撮像に必要な光量の可視光を発光開始させる場合に比べて、居住者がカラー映像にて来訪者の顔をすぐに確認することは困難である。
【００１５】
本発明は上記事由に鑑みて為されたものであり、その目的は、来訪者がドアホンの照明部からの光を眩しく感じることを抑制し、且つ、居住者がカラー映像にて来訪者の顔をすぐに確認することが可能なインターホンシステムを提供することにある。
【課題を解決するための手段】
【００１６】
本発明のインターホンシステムは、住宅外に設置され居住者を呼び出し可能なドアホンと、住宅内に設置され前記ドアホンからの呼び出しに応じて前記ドアホンとの間で通話可能とするインターホン親機とを備え、前記ドアホンは、居住者を呼び出すための呼出釦と、所定エリアを撮像してカラー映像を得る撮像部と、前記所定エリアを照明可能な照明部とを有し、前記インターホン親機は、前記撮像部で撮像して得られたカラー映像を表示する表示部を有してなり、前記ドアホンの動作モードとして、前記照明部をポーチ灯として点灯させるポーチ灯モードと、前記照明部を前記呼出釦の押操作に基づいて点灯させる来客対応モードとを備えて、前記ポーチ灯モードと前記来客対応モードとを選択可能であることを特徴とする。
【発明の効果】
【００１７】
本発明のインターホンシステムにおいては、来訪者がドアホンの照明部からの光を眩しく感じることを抑制し、且つ、居住者がカラー映像にて来訪者の顔をすぐに確認することが可能となる。
【図面の簡単な説明】
【００１８】
【図１】実施形態１のインターホンシステムのブロック図である。
【図２】同上のインターホンシステムの概略構成図である。
【図３】同上のインターホンシステムにおけるドアホンの動作モードとして、来客対応モードが選択されている場合の動作を説明するフローチャートである。
【図４】同上のインターホンシステムにおけるドアホンの動作モードとして、ポーチ灯モードが選択されている場合の動作を説明するフローチャートである。
【図５】実施形態２のインターホンシステムにおけるドアホンの動作モードとして、ポーチ灯モードが選択されている場合の動作を説明するフローチャートである。
【発明を実施するための形態】
【００１９】
（実施形態１）
以下、本実施形態のインターホンシステムについて、図１〜図４を参照しながら説明する。
【００２０】
本実施形態のインターホンシステムは、例えば、戸建て住宅向けのインターホンシステムである。このインターホンシステムは、住宅外（例えば、玄関先）に設置され居住者を呼び出し可能なドアホン１と、住宅内に設置されドアホン１からの呼び出しに応じてドアホン１との間で通話可能とするインターホン親機２とを備えている。以下、本実施形態では、インターホン親機２を親機２と略称する。
【００２１】
ドアホン１は、２線式の信号線３を介して親機２に接続されており、親機２と通信可能となっている。また、ドアホン１は、居住者を呼び出すための呼出釦１２ａを具備する呼出部１２と、居住者と通話するための第１通話部１３と、ドアホン１前方の所定エリアを撮像してカラー映像を得る撮像部１４と、上記所定エリアを照明可能な照明部１５とを有している。さらに、ドアホン１は、親機２と通信可能な第１通信部１１と、撮像部１４、照明部１５および第１通信部１１を制御する第１制御部１６と、第１通話部１３、撮像部１４および照明部１５の各々に動作電源を供給する電源部（図示せず）とを有している。なお、呼出部１２、第１通信部１１および第１制御部１６の各々は、信号線３を介して親機２から給電される。
【００２２】
呼出部１２は、呼出釦１２ａが押操作されると、居住者を呼び出すための呼出信号を第１制御部１６へ出力する。
【００２３】
第１通話部１３は、第１マイクロホン１３ａと第１スピーカ１３ｂとを有している。この第１通話部１３は、第１マイクロホン１３ａからの第１音声信号を第１通信部１１へ出力する機能を有している。
【００２４】
撮像部１４は、例えば、ＣＣＤ（Charge Coupled Device）カメラまたはＣＭＯＳ（ComplementaryMetal Oxide Semiconductor）カメラにより構成することができる。この撮像部１４は、上記所定エリアに来訪者がいる場合、来訪者の顔を含むカラー映像を得ることが可能である。
【００２５】
照明部１５としては、例えば、白色光を照射する白色ＬＥＤなどのＬＥＤ（図示せず）と、このＬＥＤを点灯させる点灯装置（図示せず）とで構成することができる。
【００２６】
第１制御部１６は、例えば、第１マイクロコンピュータに適宜の第１プログラムを搭載することにより構成することができる。この第１制御部１６は、呼出部１２から出力された呼出信号が入力されると、呼出部１２の呼出釦１２ａが押操作されたことを示す検出信号を第１通信部１１へ出力する。
【００２７】
また、第１制御部１６は、ドアホン１の動作モードとして、照明部１５をポーチ灯として点灯させるポーチ灯モードと、照明部１５を呼出釦１２ａの押操作に基づいて点灯させる来客対応モードとを有している。
【００２８】
第１通信部１１は、第１制御部１６から出力された検出信号を、信号線３を介して親機２へ送信する機能を有している。また、第１通信部１１は、撮像部１４で撮像して得られたカラー映像の映像信号と、第１マイクロホン１３ａからの第１音声信号とを多重化して、多重化した映像信号および第１音声信号を、信号線３を介して親機２へ送信する機能を有している。以下、説明の便宜上、本実施形態では、映像信号と第１音声信号とを多重化した信号を、多重化信号と称する。
【００２９】
親機２は、ドアホン１の第１通信部１１から送信された検出信号および多重化信号を、信号線３を介して受信可能な第２通信部２１と、ドアホン１の撮像部１４で撮像して得られたカラー映像などを表示する表示部２４とを有している。また、親機２は、ドアホン１からの呼び出しに応答するための応答釦２２ａを具備する操作部２２と、来訪者と通話するための第２通話部２３と、第２通信部２１、表示部２４および第２通話部２３を制御する第２制御部２５とを有している。さらに、親機２は、ドアホン１の上記電源部が第１通話部１３、撮像部１４および照明部１５の各々に動作電源を供給するために、信号線３を介してドアホン１の上記電源部へ給電する給電部（図示せず）を有している。
【００３０】
第２通信部２１は、受信した検出信号を第２制御部２５へ出力する機能を有している。また、第２通信部２１は、受信した多重化信号を映像信号と第１音声信号とに分離して、映像信号を表示部２４へ出力し、第１音声信号を第２通話部２３へ出力する機能を有している。
【００３１】
表示部２４は、例えば、液晶パネルからなる表示パネル２４ａと、第２通信部２１から出力された映像信号を表示パネル２４ａに表示可能な信号に変換する変換部（図示せず）とで構成することができる。なお、本実施形態では、表示パネル２４ａとして液晶パネルを採用しているが、これに限らず、例えば、有機エレクトロルミネッセンスパネルなどを採用してもよい。
【００３２】
操作部２２の応答釦２２ａは、ドアホン１からの呼び出しに応答するための機能を有するとともに、ドアホン１の撮像部１４で撮像して得られたカラー映像（住宅外の映像）のモニタを開始するための機能を有している。要するに、応答釦２２ａは、居住者が住宅内から住宅外をモニタするためのモニタ釦でもある。
【００３３】
また、操作部２２は、複数（図示例では、４つ）の操作釦２２ｂ〜２２ｅを備えている。本実施形態では、４つの操作釦２２ｂ〜２２ｅのうちの１つの操作釦（例えば、操作釦２２ｂ）が、ドアホン１の動作モードであるポーチ灯モードと来客対応モードとの１つを択一的に選択可能とするための選択釦としての機能を有している。要するに、本実施形態では、親機２の操作部２２の操作釦２２ｂにより、ドアホン１の動作モードであるポーチ灯モードと来客対応モードとの１つを選択可能となっている。ここで、本実施形態では、操作部２２が各操作釦２２ｂ〜２２ｅを備えているが、これに限らず、例えば、表示部２４の表示パネル２４ａを、タッチパネルを具備する表示パネルとし、上記表示パネルに各操作釦２２ｂ〜２２ｅの機能を備えるようにしてもよい。
【００３４】
第２通話部２３は、第２マイクロホン（図示せず）と第２スピーカ２３ｂとを有している。第２スピーカ２３ｂは、第２通信部２１から出力された第１音声信号を第１音声に変換して出力する機能を有している。また、第２通話部２３は、上記第２マイクロホンからの第２音声信号を第２通信部２１へ出力する機能を有している。
【００３５】
第２制御部２５は、例えば、第２マイクロコンピュータに適宜の第２プログラムを搭載することにより構成することができる。この第２制御部２５は、第２通信部２１から出力された検出信号が入力されると、第２通話部２３の第２スピーカ２３ｂから呼出音を鳴動させる。なお、第２制御部２５には、現在の時刻を計時する計時部（図示せず）が設けられている。
【００３６】
上記給電部は、第１通話部１３、撮像部１４および照明部１５を動作可能とする動作電圧を生成する。本実施形態のインターホンシステムでは、親機２の上記給電部が信号線３を介してドアホン１の上記電源部へ動作電圧を給電すると、第１通話部１３、撮像部１４および照明部１５が動作状態となる。ここにおいて、ドアホン１の上記電源部は、親機２から信号線３を介して給電された動作電圧を動作電源として第１通話部１３、撮像部１４および照明部１５の各々に供給する。
【００３７】
また、上記給電部は、第２制御部２５から出力される給電信号が入力されると、ドアホン１の上記電源部へ動作電圧を給電する。ここにおいて、第２制御部２５は、第２通信部２１から出力された検出信号が入力されると、給電信号を上記給電部へ出力する。
【００３８】
また、第２通信部２１は、第２通話部２３から出力された第２音声信号を、信号線３を介してドアホン１の第１通信部１１へ送信する機能を有している。ここにおいて、ドアホン１の第１通信部１１は、親機２の第２通信部２１から送信された第２音声信号を、信号線３を介して受信する機能を有している。また、第１通信部１１は、信号線３を介して受信した第２音声信号を第１通話部１３へ出力する機能を有している。ここで、第１通話部１３の第１スピーカ１３ｂは、第１通信部１１から出力された第２音声信号を第２音声に変換して出力する機能を有している。したがって、本実施形態のインターホンシステムでは、ドアホン１と親機２との間で通話が可能となる。
【００３９】
ところで、本実施形態のインターホンシステムでは、ドアホン１の動作モードとして来客対応モードが選択されている場合、第１制御部１６は、撮像部１４に動作電源が供給されると、撮像部１４で撮像して得られたカラー映像の明るさを判断し、この判断結果に基づいて照明部１５を点灯させる機能を有している。具体的に説明すると、まず、第１制御部１６は、撮像部１４に動作電源が供給されると、撮像部１４で撮像して得られたカラー映像を構成する複数の画像データにおいて、これらの画像データの各々を構成する各画素の輝度値に基づいて各画素の明るさを判断する。ここで、第１制御部１６には、各画像データの各画素の輝度値に対して、各画素の明るさが明るいか否かを判断するためのしきい値が予め設定されている。この第１制御部１６は、各画像データの各画素の輝度値が予め設定されたしきい値以下の場合、各画素の明るさを暗いと判断する。一方、第１制御部１６は、各画像データの各画素の輝度値が予め設定されたしきい値よりも大きい場合、各画素の明るさを明るいと判断する。
【００４０】
また、第１制御部１６は、各画像データを構成する各画素のうち明るさが明るいと判断された画素の合計数に基づいて、各画像データの明るさを判断する。ここにおいて、第１制御部１６には、各画像データを構成する各画素のうち明るさが明るいと判断された画素の合計数に対して、各画像データの明るさが明るいか否かを判断するための第１規定値が予め設定されている。この第１制御部１６は、明るさが明るいと判断された画素の合計数が予め設定された第１規定値以下の場合、各画像データの明るさを暗いと判断する。一方、第１制御部１６は、明るさが明るいと判断された画素の合計数が予め設定された第１規定値よりも大きい場合、各画像データの明るさを明るいと判断する。
【００４１】
また、第１制御部１６は、撮像部１４で撮像して得られたカラー映像を構成する複数の画像データのうち明るさが明るいと判断された画像データの合計数に基づいて、このカラー映像の明るさを判断する。ここにおいて、第１制御部１６には、カラー映像を構成する複数の画像データのうち明るさが明るいと判断された画像データの合計数に対して、このカラー映像の明るさが明るいか否かを判断するための第２規定値が予め設定されている。この第１制御部１６は、明るさが明るいと判断された画像データの合計数が予め設定された第２規定値以下の場合、カラー映像の明るさを暗いと判断する。一方、第１制御部１６は、明るさが明るいと判断された画像データの合計数が予め設定された第２規定値よりも大きい場合、カラー映像の明るさを明るいと判断する。
【００４２】
したがって、第１制御部１６は、撮像部１４に動作電源が供給されると、撮像部１４で撮像して得られたカラー映像の明るさを判断し、この判断結果に基づいて照明部１５を点灯させることが可能となる。
【００４３】
以下、本実施形態のインターホンシステムにおいて、ドアホン１の動作モードとして来客対応モードが選択されている場合の動作を、図３に基づいて説明する。
【００４４】
本実施形態では、来訪者がドアホン１の呼出釦１２ａを押操作すると、呼出部１２が呼出信号を第１制御部１６へ出力する。第１制御部１６は、呼出信号が入力されると、検出信号を第１通信部１１へ出力する。第１通信部１１は、第１制御部１６から出力された検出信号を、信号線３を介して親機２の第２通信部２１へ送信する（Ｓ１）。
【００４５】
親機２の第２通信部２１は、ドアホン１の第１通信部１１から送信された検出信号を受信すると、検出信号を第２制御部２５へ出力する。第２制御部２５は、検出信号が入力されると、第２スピーカ２３ｂから呼出音を鳴動させるとともに、給電信号を上記給電部へ出力する。上記給電部は、給電信号が入力されると、信号線３を介してドアホン１の上記電源部へ動作電圧を給電する（Ｓ２）。
【００４６】
ドアホン１の上記電源部は、親機２から信号線３を介して給電された動作電圧を動作電源として第１通話部１３、撮像部１４および照明部１５の各々に供給する。第１制御部１６は、撮像部１４に動作電源が供給されると、撮像部１４で撮像して得られたカラー映像を構成する複数の画像データに基づいてこのカラー映像の明るさを判断する（Ｓ３〜Ｓ４）。第１制御部１６は、撮像部１４で撮像して得られたカラー映像の明るさを暗いと判断した場合、照明部１５を点灯させる（Ｓ５）。一方、第１制御部１６は、撮像部１４で撮像して得られたカラー映像の明るさを明るいと判断した場合、照明部１５を点灯させない（Ｓ６）。
【００４７】
そして、ドアホン１の第１通信部１１は、上述の多重化信号を動作電圧に重畳させて親機２の第２通信部２１へ送信する（Ｓ７）。第２通信部２１は、受信した多重化信号を映像信号と第１音声信号とに分離して、映像信号を表示部２４へ出力し、第１音声信号を第２通話部２３へ出力する。第２制御部２５は、表示部２４の表示パネル２４ａにドアホン１の撮像部１４で撮像して得られたカラー映像を表示させるとともに、第２通話部２３の第２スピーカ２３ｂから第１音声を出力させる。
【００４８】
ここで、親機２は、居住者により応答釦２２ａが押操作されると、ドアホン１との間で通話が可能となる（Ｓ８）。また、本実施形態では、居住者が、再度、親機２の応答釦２２ａを押操作してドアホン１との間での通話を終了する（Ｓ９）と、親機２の第２制御部２５が、給電信号を上記給電部へ出力するのを停止する。言い換えれば、親機２の上記給電部が、信号線３を介してドアホン１の上記電源部へ動作電圧を給電するのを終了する（Ｓ１０）。ここにおいて、本実施形態では、居住者が来訪者との通話を終了した後に親機２の応答釦２２ａを押操作することで、親機２の上記給電部が、ドアホン１の上記電源部へ動作電圧を給電するのを終了するようにしているが、居住者が来訪者と通話するために親機２の応答釦２２ａを押操作してから所定の通話時間（例えば、数分間）が経過した時点で上記電源部へ動作電圧を給電するのを終了するようにしてもよい。
【００４９】
また、本実施形態のインターホンシステムでは、ドアホン１の動作モードとしてポーチ灯モードが選択されている場合、第１制御部１６は、一定時間（例えば、１時間）ごとに、撮像部１４で撮像して得られたカラー映像の明るさを判断し、この判断結果に基づいて照明部１５を点灯させる機能を有している。具体的に説明すると、第１制御部１６は、上記一定時間ごとに、撮像部１４で撮像して得られたカラー映像を構成する複数の画像データに基づいてこのカラー映像の明るさを判断し、この判断結果に基づいて照明部１５を点灯させる。ここにおいて、親機２の第２制御部２５は、予め設定された上記一定時間ごとに、給電信号を上記給電部へ出力するとともに、ドアホン１の第１制御部１６に撮像部１４で撮像して得られたカラー映像の明るさを判断させるための第１制御信号を第２通信部２１へ出力する機能を有している。また、第２通信部２１は、第２制御部２５から出力された第１制御信号を、動作電圧に重畳させてドアホン１の第１通信部１１へ送信する機能を有している。また、ドアホン１の第１通信部１１は、第１制御信号を受信すると、受信した第１制御信号を第１制御部１６へ出力する機能を有している。第１制御部１６は、第１制御信号が入力されると、照明部１５を消灯させた後に、撮像部１４で撮像して得られたカラー映像の明るさを判断する機能を有している。
【００５０】
以下、本実施形態のインターホンシステムにおいて、ドアホン１の動作モードとしてポーチ灯モードが選択されている場合の動作を、図４に基づいて説明する。
【００５１】
親機２の第２制御部２５は、予め設定された上記一定時間ごとに、給電信号を上記給電部へ出力するとともに、第１制御信号を第２通信部２１へ出力する。上記給電部は、給電信号が入力されると、信号線３を介してドアホン１の上記電源部へ動作電圧を給電する（Ｓ１）。また、第２通信部２１は、第２制御部２５から出力された第１制御信号を、動作電圧に重畳させてドアホン１の第１通信部１１へ送信する（Ｓ２）。
【００５２】
ドアホン１の第１通信部１１は、第１制御信号を受信する（Ｓ３）と、受信した第１制御信号を第１制御部１６へ出力する。第１制御部１６は、第１制御信号が入力されると、照明部１５を消灯させた後に、撮像部１４で撮像して得られたカラー映像を構成する複数の画像データに基づいてカラー映像の明るさを判断する（Ｓ４〜Ｓ５）。
【００５３】
ここで、ドアホン１の第１制御部１６は、撮像部１４で撮像して得られたカラー映像の明るさを暗いと判断した場合、照明部１５を点灯させる（Ｓ６）。また、第１制御部１６は、照明部１５を点灯させた場合、照明部１５が点灯状態であることを示す点灯信号を第１通信部１１へ出力する。第１通信部１１は、第１制御部１６から出力された点灯信号を、動作電圧に重畳させて親機２の第２通信部２１へ送信する（Ｓ７）。
【００５４】
親機２の第２通信部２１は、ドアホン１の第１通信部１１から送信された点灯信号を受信すると、受信した点灯信号を第２制御部２５へ出力する。第２制御部２５は、点灯信号が入力されると、給電信号を上記給電部へ出力し続ける。言い換えれば、親機２の上記給電部は、信号線３を介してドアホン１の上記電源部へ動作電圧を給電し続ける（Ｓ８）。ここで、本実施形態では、親機２の第２制御部２５が、この第２制御部２５に予め設定された消灯時刻（例えば、朝方）になったときに、給電信号を上記給電部へ出力するのを停止してもよい。言い換えれば、親機２の上記給電部は、第２制御部２５に予め設定された消灯時刻になったときに、信号線３を介してドアホン１の上記電源部へ動作電圧を給電するのを終了してもよい。要するに、本実施形態では、親機２が、第２制御部２５に予め設定された消灯時刻になったときに、ドアホン１の照明部１５を消灯させてもよい。
【００５５】
また、第２制御部２５は、予め設定された上記一定時間になったとき（Ｓ９）に、第１制御信号を第２通信部２１へ出力する。
【００５６】
一方、ドアホン１の第１制御部１６は、Ｓ５において、撮像部１４で撮像して得られたカラー映像の明るさを明るいと判断した場合、照明部１５を点灯させない（Ｓ１０）。また、第１制御部１６は、照明部１５を点灯させない場合、照明部１５が消灯状態であることを示す消灯信号を第１通信部１１へ出力する。第１通信部１１は、第１制御部１６から出力された消灯信号を、動作電圧に重畳させて親機２の第２通信部２１へ送信する（Ｓ１１）。
【００５７】
親機２の第２通信部２１は、ドアホン１の第１通信部１１から送信された消灯信号を受信すると、受信した消灯信号を第２制御部２５へ出力する。第２制御部２５は、消灯信号が入力されると、給電信号を上記給電部へ出力するのを停止する。言い換えれば、親機２の上記給電部は、信号線３を介してドアホン１の上記電源部へ動作電圧を給電するのを終了する（Ｓ１２）。
【００５８】
しかして、本実施形態のインターホンシステムでは、ドアホン１の動作モードとしてポーチ灯モードが選択されている場合、照明部１５が撮像部１４で撮像して得られたカラー映像の明るさに基づいて点灯するので、例えば、住宅外の明るさが暗くなったときに照明部１５をポーチ灯として点灯させることが可能となる。また、本実施形態では、ドアホン１の動作モードとしてポーチ灯モードが選択されている場合、来訪者がドアホン１の呼出釦１２ａを押操作する前に照明部１５を点灯させることが可能となり、来訪者がドアホン１に近づくに従って照明部１５から照射された光に目が慣れるので、子機の呼出釦にて押操作されたときに照明部を点灯させる場合に比べて、来訪者がドアホン１の照明部１５からの光を眩しく感じることを抑制し、且つ、居住者がカラー映像にて来訪者の顔をすぐに確認することが可能となる。また、本実施形態では、ドアホン１の動作モードとして来客対応モードが選択されている場合、例えば、玄関先などの住宅外に既にポーチ灯が設置された住宅でもドアホン１の照明部１５をポーチ灯として利用することが可能となる。
【００５９】
ここにおいて、本実施形態では、ドアホン１の上記電源部が、第１通話部１３、撮像部１４および照明部１５だけに動作電源を供給するようにしているが、上記電源部が、呼出部１２、第１通話部１３、撮像部１４、照明部１５、第１通信部１１および第１制御部１６すべてに動作電源を供給するようにしてもよい。この場合、親機２の上記給電部は、呼出部１２、第１通信部１１および第１制御部１６のみを動作可能とする第１動作電圧を生成する。また、上記給電部は、呼出部１２、第１通話部１３、撮像部１４、照明部１５、第１通信部１１および第１制御部１６すべてを動作可能とする第２動作電圧を生成する。なお、第１動作電圧は、第２動作電圧よりも小さく設定されている。
【００６０】
本実施形態のインターホンシステムでは、親機２の上記給電部が信号線３を介してドアホン１の上記電源部へ第１動作電圧を給電すると、呼出部１２、第１通信部１１および第１制御部１６のみが動作状態となる。また、本実施形態では、親機２の上記給電部が信号線３を介してドアホン１の上記電源部へ第２動作電圧を給電すると、呼出部１２、第１通話部１３、撮像部１４、照明部１５、第１通信部１１および第１制御部１６すべてが動作状態となる。ここにおいて、ドアホン１の上記電源部は、親機２から信号線３を介して給電された第１動作電圧または第２動作電圧を動作電源として呼出部１２、第１通話部１３、撮像部１４、照明部１５、第１通信部１１および第１制御部１６の各々に供給する。
【００６１】
したがって、本実施形態のインターホンシステムでは、呼出部１２、第１通信部１１および第１制御部１６のみを動作させる第１動作電圧を第２動作電圧よりも小さく設定しているので、居住者が来訪者と通話可能な場合や居住者が住宅内から住宅外をモニタする場合以外に、システム全体の消費電力を低減することが可能となる。
【００６２】
（実施形態２）
本実施形態のインターホンシステムの基本構成は、図１および図２に基づいて説明した実施形態１と同じであり、ドアホン１の第１制御部１６が、予め設定された点灯時刻に基づいて照明部１５を点灯させる点などが実施形態１と相違する。
【００６３】
親機２の第２制御部２５には、ドアホン１の第１制御部１６により照明部１５を点灯させる時刻（以下、点灯時刻と称する）が予め設定されている。また、第２制御部２５には、ドアホン１の第１制御部１６により照明部１５を消灯させる時刻（以下、消灯時刻と称する）が予め設定されている。
【００６４】
また、第２制御部２５は、予め設定された点灯時刻になったときに、給電信号を上記給電部へ出力するとともに、ドアホン１の第１制御部１６により照明部１５を点灯させるための第２制御信号を第２通信部２１へ出力する。ここにおいて、第２通信部２１は、第２制御部２５から出力された第２制御信号を、動作電圧に重畳させてドアホン１の第１通信部１１へ送信する機能を有している。ドアホン１の第１通信部１１は、第２制御信号を受信すると、受信した第２制御信号を第１制御部１６へ出力する機能を有している。第１制御部１６は、第２制御信号が入力されると、照明部１５を点灯させる。
【００６５】
以下、本実施形態のインターホンシステムにおいて、ドアホン１の動作モードとしてポーチ灯モードが選択されている場合の動作を、図５に基づいて説明する。
【００６６】
親機２の第２制御部２５は、予め設定された点灯時刻になったときに、給電信号を上記給電部へ出力するとともに、第２制御信号を第２通信部２１へ出力する。上記給電部は、給電信号が入力されると、信号線３を介してドアホン１の上記電源部へ動作電圧を給電する（Ｓ１）。また、第２通信部２１は、第２制御部２５から出力された第２制御信号を、動作電圧に重畳させてドアホン１の第１通信部１１へ送信する（Ｓ２）。
【００６７】
ドアホン１の第１通信部１１は、親機２の第２通信部２１から送信された第２制御信号を受信すると、受信した第２制御信号を第１制御部１６へ出力する。第１制御部１６は、第２制御信号が入力されると、照明部１５を点灯させる（Ｓ３）。そして、第１制御部１６は、点灯信号を第１通信部１１へ出力する。第１通信部１１は、第１制御部１６から出力された点灯信号を、動作電圧に重畳させて親機２の第２通信部２１へ送信する。
【００６８】
親機２の第２通信部２１は、ドアホン１の第１通信部１１から送信された点灯信号を受信すると、受信した点灯信号を第２制御部２５へ出力する。第２制御部２５は、点灯信号が入力されると、給電信号を上記給電部へ出力し続ける。言い換えれば、親機２の上記給電部は、信号線３を介してドアホン１の上記電源部へ動作電圧を給電し続ける（Ｓ４）。
【００６９】
また、第２制御部２５は、予め設定された消灯時刻になったときに、給電信号を上記給電部へ出力するのを停止する。言い換えれば、親機２の上記給電部は、予め設定された消灯時刻になったときに、信号線３を介してドアホン１の上記電源部へ動作電圧を給電するのを終了する（Ｓ５）。要するに、ドアホン１の照明部１５が消灯する。
【００７０】
しかして、本実施形態のインターホンシステムでは、ドアホン１の動作モードとしてポーチ灯モードが選択されている場合、照明部１５が予め設定された点灯時刻に基づいて点灯するので、住宅外の明るさが暗くなる時刻（例えば、夕方）に照明部１５をポーチ灯として点灯させることが可能となる。また、本実施形態でも、ドアホン１の動作モードとしてポーチ灯モードが選択されている場合、来訪者がドアホン１の呼出釦１２ａを押操作する前に照明部１５を点灯させることが可能となり、来訪者がドアホン１に近づくに従って照明部１５から照射された光に目が慣れるので、子機の呼出釦にて押操作されたときに照明部を点灯させる場合に比べて、来訪者がドアホン１の照明部１５からの光を眩しく感じることを抑制し、且つ、居住者がカラー映像にて来訪者の顔をすぐに確認することが可能となる。
【符号の説明】
【００７１】
１  ドアホン
２  インターホン親機
１２ａ  呼出釦
１４  撮像部
１５  照明部
２４  表示部
【図１】
2013026849.tif 000003
【図２】
2013026849.tif 000004
【図３】
2013026849.tif 000005
【図４】
2013026849.tif 000006
【図５】
2013026849.tif 000007